(57)【要約】      （修正有）【課題】医療向けに流通している生理食塩液の輸液容器に直接接続できる鼻腔洗浄用器具を提供する。【解決手段】輸液容器の密封口部に穿刺するための中空穿刺針４と、中空穿刺針４に連通し、輸液容器内の洗浄液を鼻腔内へ輸送するための管状体５と、を有することとした。輸液容器は、押圧により変形可能なプラスチック製の容器本体２ａと、容器本体２ａの一方端に設けられ、内容液である生理食塩液を取り出すための密封口部とを備えている。密封口部は、点滴針を刺して保持できるようにゴム栓（又はゴム膜）が装着されている。輸液容器は、比較的リジッドなボトルタイプが取り扱い易いが、柔軟なプラスチックバッグであってもよい。【選択図】図３
0003143802.tif 000002
【実用新案登録請求の範囲】
【請求項１】
密封口部を有する輸液容器に取り付けられる鼻腔洗浄用器具であって、
輸液容器の密封口部に穿刺するための中空穿刺針と、
該中空穿刺針に連通し、輸液容器内の洗浄液を鼻腔内へ輸送するための管状体と、を備えた、鼻腔洗浄用器具。
【請求項２】
前記管状体の排液側端部に設けられた、外鼻孔に当接されるノズルをさらに備えた、請求項１に記載の鼻腔洗浄用器具。
【請求項３】
前記ノズルは、逆止弁を有する、請求項２に記載の鼻腔洗浄用器具。
【請求項４】
前記ノズルは、洗浄液の噴出方向に延びる少なくとも１条の溝が側面に形成されている、請求項２又は３に記載の鼻腔洗浄用器具。
【請求項５】
前記管状体は、前記中空穿刺針内に摺動可能に挿入されている、請求項１から４のいずれかに記載の鼻腔洗浄用器具。
【請求項６】
前記中空穿刺針に固定されており、輸液容器の密封口部の外面に係合することによって密封口部に対して前記中空穿刺針を保持するホルダーをさらに備える、請求項１から５のいずれかに記載の鼻腔洗浄用器具。
【請求項７】
前記ホルダーは、輸液容器の密封口部を覆うよう、キャップ状に形成されている、請求項６に記載の鼻腔洗浄用器具。
【請求項８】
前記ホルダーは、前記中空穿刺針の軸方向に延びる複数の縦リブが内壁面に形成されている、請求項７に記載の鼻腔洗浄用器具。
【請求項９】
前記ホルダーは、切り欠き窓が側面に形成されている、請求項７又は８に記載の鼻腔洗浄用器具。
【請求項１０】
前記管状体は、前記中空穿刺針を密封口部に穿刺して密封口部が下側となるように輸液容器を倒立状態としたときに、前記中空穿刺針の穿刺方向の側に斜め方向に立ち上がっており、水平面に対する角度が４５〜８５°である、請求項１〜９のいずれかに記載の鼻腔洗浄用器具。
【考案の詳細な説明】
【技術分野】
【０００１】
本考案は、生理食塩水等が封入された輸液容器に接続し、輸液容器内の洗浄液を鼻腔内に導いて洗浄するための鼻腔洗浄用器具に関する。
【背景技術】
【０００２】
従来、副鼻腔炎等の手術後には、傷口からの感染を予防するために、ある一定期間、一日に１〜数回、鼻腔内を生理食塩水などの薬液で洗浄することが推奨されている。また、花粉症等のアレルギー性鼻炎や慢性副鼻腔炎の患者に対しても、その治療法の一つとして、鼻腔内を洗浄することが勧められている。このような鼻腔を洗浄するための器具として、従来から種々のものが提案されている（例えば、特許文献１〜４参照）。
【特許文献１】特開２０００−３４２６５０
【特許文献２】特開２００４−７３８
【特許文献３】特表２００４−５２８１１０
【特許文献４】特開２００６−２３０９７４
【考案の開示】
【考案が解決しようとする課題】
【０００３】
ところで、従来提案されている鼻腔洗浄器は、何れも日常的に使用することを目的としているため、容器と一体であるか、ペットボトル等のねじ式口部に螺合させるものである。そのため、医療現場において副鼻腔炎等の手術後の洗浄に使用する場合、従来の鼻腔洗浄器では、輸液容器に収容されている生理食塩液等の薬液を、鼻腔洗浄器のための容器又はペットボトル等に移し替えたり、容器中で洗浄液を調製する必要がる。
【０００４】
しかしながら、医療現場において使用される輸液容器は、一般的に密封口部がゴム栓、ゴム膜等で密閉されている。そのため、注射器の注射針を密封口部のゴム栓等に穿刺し、該注射器で輸液容器の内容液を吸い出してから、該注射器から鼻腔洗浄器のための容器又はペットボトル等に移し替えなければならず、手間がかかり煩雑である。また、移し替える最中に異物等が混入する危険性もある。また、容器中で洗浄液を調製する場合は、細菌汚染のおそれもある。
【０００５】
そこで、本考案は、医療向けに流通している生理食塩液等の輸液容器に直接接続できる鼻腔洗浄用器具に関する。
【課題を解決するための手段】
【０００６】
上記問題を解決するため、本考案に係る鼻腔洗浄用器具は、密封口部を有する輸液容器に取り付けられる鼻腔洗浄用器具であって、輸液容器の密封口部に穿刺するための中空穿刺針と、該中空穿刺針に連通し、輸液容器内の洗浄液を鼻腔内へ輸送するための管状体と、を備えている。
【０００７】
上記構成によれば、輸液容器の密封口部に中空穿刺針を穿刺し、この中空穿刺針と連通する管状体によって輸液容器内の洗浄液を鼻腔内へと輸送することができるため、医療向けに流通している生理食塩液等の輸液容器に直接接続して使用可能となる。
【０００８】
上記鼻腔洗浄用器具は種々の構成をとることができるが、例えば、上記管状体の排液側端部に設けられた、外鼻孔に当接されるノズルをさらに備えていることが好ましい。このようにノズルをさらに備えることで、管状体内を流れてきた洗浄液をより適切に鼻腔内へと輸送することができる。
【０００９】
また、上記ノズルは逆止弁を有していることが好ましく、逆止弁によって洗浄後の排液や異物などが逆流することを防ぐことができる。
【００１０】
また、上記ノズルは、洗浄液の噴出方向に延びる少なくとも１条の溝が側面に形成されていることが好ましい。このようにノズル側面に溝を形成することによって、ノズルを外鼻孔に当接した状態であっても、上記溝を介して鼻腔内の空気や洗浄後の生理食塩液等を鼻外に容易に流出させることができる。
【００１１】
また、上記管状体は、中空穿刺針内に摺動可能に挿入させることもできる。
【００１２】
また、中空穿刺針に固定されており、輸液容器の密封口部の外面に係合することによって密封口部に対して前記中空穿刺針を保持するホルダーをさらに備えていることが好ましい。このホルダーによって、より確実に中空穿刺針を密封口部に対して保持させることができる。
【００１３】
また、上記ホルダーは、輸液容器の密封口部を覆うように、キャップ状に形成されていることが好ましい。この場合は、ホルダーの内壁面に中空穿刺針の軸方向に延びる複数の縦リブが形成されていることが好ましい。この縦リブを形成することで、例えば、輸液容器の密封口部の外径とホルダーの内径とに多少の差異があっても、この縦リブによってその差異を吸収し、ホルダーを輸液容器の密封口部に対してより安定して係合させることができる。また、このホルダーは、切り欠き窓が側面に形成されていることが好ましい。この切り欠き窓によって中空穿刺針の穿刺状態を確認することができる。
【００１４】
また、上記管状体は、中空穿刺針を密封口部に穿刺して密封口部が下側となるように輸液容器を倒立状態としたときに、中空穿刺針の穿刺方向の側に斜め方向に立ち上がっており、水平面に対する角度が４５〜８５°であることが好ましい。このように構成することで、洗浄後の排液が容器に付着することを防止することができる。
【考案の効果】
【００１５】
本考案によれば、医療向けに流通している生理食塩液等の輸液容器に直接接続して使用可能である。
【００１６】
なお、輸液容器は、医療現場において種々の薬剤を無菌的に混合することが出来るので、その点からも、輸液容器に直接接続して使用可能であることは意義深い。
【考案を実施するための最良の形態】
【００１７】
本考案の好ましい実施形態について以下に図面を参照して説明する。なお、全図及び全実施形態を通じ、同一、類似の構成部分には同番号を付した。
【００１８】
（第１実施形態）
先ず、本考案に係る鼻腔洗浄用器具の第１実施形態について、図１〜３を参照して説明する。
【００１９】
鼻腔洗浄用器具１は、輸液容器２の密封口部３に穿刺するための中空穿刺針４と、中空穿刺針４に連通し、輸液容器２内の洗浄液を鼻腔内に輸送するための管状体５と、を有している。
【００２０】
輸液容器２は、押圧により変形可能なプラスチック製の容器本体２ａと、容器本体２ａの一方端に設けられ、内容液である生理食塩液を取り出すための密封口部３とを備えている。密封口部３は、点滴針を刺して保持できるようにゴム栓（又はゴム膜）３ａが装着されている。輸液容器２は、比較的リジッドなボトルタイプが取り扱い易いが、柔軟なプラスチックバッグであってもよい。
【００２１】
中空穿刺針４は、ゴム栓３ａに刺し通すことができる強度を有し、好ましくは、硬質プラスチック、例えば、ポリプロピレン、ポリスチレン、ポリカーボネート、ＡＢＳ等によって形成される。
【００２２】
中空穿刺針４に連通する管状体５は、図１〜３に示すように中空穿刺針４内に摺動可能に挿入するタイプとする他、中空穿刺針４に接着する等によって一体化したタイプ（図４〜図６参照）、或いは、ルアーロック等の接続手段により中空穿刺針４に接続するタイプ（図７）とすることができる。また、管状体５は、上記各タイプに応じて、硬質プラスチック又は軟質プラスチックによって形成し得るが、使い勝手の面から、穿刺針と同様、硬質プラスチックによって形成することが好ましい。なお、図５，６に示すように中空穿刺針４が短い場合であっても、容器本体２ａを押し潰すことによって、中空穿刺針４を通じて内容液を排出することは可能である。
【００２３】
管状体５の排液側端部には、外鼻孔に当接されるノズル６が装着されている。このノズル６は、外鼻孔内に挿入するための挿入部６１と、管状体５と連結するための円筒状の連結部６２を有している。挿入部６１は、外鼻孔内を傷付けることがないよう略切頭円錐状に形成されており、その上面は略湾曲面となっている。なお、挿入部６１は、その全てが外鼻孔内に入ってしまわないよう、挿入部６１の上部は外鼻孔の寸法よりもやや小さくするとともに、下部を外鼻孔の寸法よりも大きく形成されている。また、ノズル６は、硬質プラスチック、軟質プラスチックの他、熱可塑性エラストマーやゴム等の弾性材料によって形成することができ、挿入部６１の先端にオリフィス６１ａが形成されている。なお、弾性材料を用いてノズル６を形成すれば、外鼻孔へのタッチがソフトになるため好ましい。
【００２４】
中空穿刺針４には、輸液容器２の密封口部３の外面に係合することによって密封口部３に対して中空穿刺針４を保持するホルダー７が取り付けられている。ホルダー７は、輸液容器２の密封口部３を覆うようなキャップ状とすることができるが、斯かる形状に限らず、密封口部３に対して中空穿刺針４を保持し得るものであれば良く、密封口部３の外形にフィットする形状であることが好ましい。また、ホルダー７は、中空穿刺針４が抜けないように密封口部３の顎部に係止する係止凸部７ａを備えることが好ましく、係止凸部７ａの係止度合いは、ホルダー７を密封口部３に着脱可能とする程度であることが望ましい。
【００２５】
また、管状体５とホルダー７との間の気密性及び液密性を担保するため、両者にシール接合部８、９を一体的に備えている。管状体５が中空穿刺針４に挿通自在である場合、管状体５と中空穿刺針４との界面を通じて液漏れするおそれがあるため、Ｏリング等のシール部材を備えたシール接合部８、９によって液漏れを防ぐことができる。シール接合部８、９は、Ｏリング内蔵式ルアーロック等の公知の接合手段を採用することができる。
【００２６】
上記構成を有する鼻腔洗浄用器具１は、管状体５が中空穿刺針４内に摺動可能である場合は、使用方法として例えば、図２に示すように、先ず、中空穿刺針４を、輸液容器２の密封口部３のゴム栓３ａに穿刺するとともに、ホルダー７を密封口部３に被せて装着する。次いで、図３に示すように、管状体５を中空穿刺針４内に挿通させ、シール接合部８，９を接合する。なお、管状体５は、予め中空穿刺針４内に少しだけ挿入しておいても良い。こうして準備が出来たら、図３に示すように、ノズル６を外鼻孔に当接させ、輸液容器２の容器本体２ａを指で押さえて押圧変形させることにより、輸液容器２内の生理食塩液を、管状体５を通じてノズル６から鼻腔内に噴出させ洗浄する。
【００２７】
なお、管状体５が中空穿刺針４と一体の場合の使用方法は、管状体５を中空穿刺針４内に挿通させる必要がない点以外は、上記使用方法と同様である。
【００２８】
以上、第１実施形態によれば、中空穿刺針４によって密封口部３のゴム栓３ａを穿刺して、輸液容器２内の洗浄液を中空穿刺針４と連通する管状体５を介して鼻腔内へと送ることができる。このため、上記鼻腔洗浄用器具１は、医療向けに流通している輸液容器３に直接接続して使用することができる。
【００２９】
（第２実施形態）
次に、本考案に係る鼻腔洗浄用器具の第２実施形態について、図８〜１１を参照して説明する。
【００３０】
第２実施形態の鼻腔洗浄用器具１Ｅでは、管状体５Ｃは、中空穿刺針４Ｅを密封口部３に穿刺して中空穿刺針４Ｅが下側となるように輸液容器２を倒立状態とした時に、中空穿刺針４Ｅの穿刺方向の側に、斜め方向に立ち上がって伸びている。
【００３１】
第２実施形態の鼻腔洗浄用器具１Ｅは、図１１に示すように、倒立状態で使用される。そのため、管状体５Ｃは、硬質プラスチック材料等によって、排液口が所定位置を維持するように形成されている。
【００３２】
第２実施形態における中空穿刺針４Ｅは、Ｌ字状になっていて、ホルダー７Ａの側面に内部通路が開通するようになっている。ホルダー７Ａの側面から、中空穿刺針４Ｅに連通する管状体５Ｃが、前述のように中空穿刺針４Ｅの穿刺方向の側に、斜め方向に立ち上がって伸びており、設置面に対する管状体５Ｃの角度θは、約４５〜８５°となっている。管状体５Ｃの角度を前記範囲とすることにより、中鼻道など要洗浄ポイントを効率よく洗浄でき、洗浄液が耳管には入っていかないという利点を有する。なお、管状体５Ｃは、図示例では真っ直ぐに伸びているが、形状は限定されず、湾曲状、その他の形状であってもよい。そして、その場合の角度は、付根から排出口端部までを直線でつないだとして設定する。
【００３３】
また、第２実施形態におけるホルダー７Ａは、輸液容器２の密封口部３に被せるようにして装着させた状態で、輸液容器２を倒立状態で支持できるような平坦な接地面１１をその底面に有している。
【００３４】
ホルダー７Ａは、図示例の如くキャップ状とした場合、側面に切り欠き窓１２を形成し、中空穿刺針４Ｅがゴム栓３ａに穿刺している状態を視認し得るようにしても良い。また、ホルダー７Ａを透明な材料で形成し、中空穿刺針４Ｅの針の部分を有色にして視認できるようにしても良い。
【００３５】
上記構成を有する第２実施形態の鼻腔洗浄用器具１Ｅは、使用に際し、第１実施形態と同様に、正立させた輸液容器２の密封口部３にホルダー７Ａを被せて中空穿刺針４Ｅにゴム栓３ａを穿刺させる。もちろん、鼻腔洗浄用器具１Ｅを作業台上に置いて、輸液容器を逆向きにして中空穿刺針４Ｅにゴム栓３ａを穿刺させることもできる。こうして準備が完了したら、図１１に示すように、輸液容器２を倒立させて、ノズル６を外鼻孔に当接させ、容器本体２ａを押圧変形させて管状体５Ｃを通じて鼻腔内に容器本体２ａ内の洗浄液を送り出し、鼻腔内を洗浄する。
【００３６】
以上、第２実施形態のような容器倒立タイプのものは、上記第１実施形態の鼻腔洗浄用器具１が得られる効果に加えて、洗浄後の液を容器や手にかからないように流し等に落下させることができるという利点を有している。
【００３７】
以上、本考案の第１及び第２の実施形態について説明したが、本考案はこれらに限定されるものではなく、本考案の趣旨を逸脱しない限りにおいて種々の変更が可能である。例えば上記実施形態ではノズル６の挿入部６１は略切頭円錐状に形成されているが、この形状を変更することもできる。例えば図１２に示すように、挿入部６１の外側面に、洗浄液の噴出方向に延びる溝６１ｃを形成することができる。このように溝６１ｃを形成することで、挿入部６１を外鼻孔に当接した状態であっても、鼻腔内の空気や洗浄後の生理食塩液を鼻外に流出し易くすることができる。なお、この溝６１ｃの数は、特に限定されないが、１〜４条程度とすることが好ましく、より好ましくは２条を対角位に形成するのがよい。また、挿入部６１の外周に、鍔部６１ｂを形成して、外鼻孔が大きい人でも一定深さ以上奥に挿入部６１が入らないようにしてもよい。また、ノズル６の挿入部６１の先端には、必要に応じてオリフィス６１ａを封止するための突起６３ａを有する封止部材６３を装着してもよい。
【００３８】
また、ノズル６内には、逆止弁（図示省略）を設けることもできる。この逆止弁を設けることによって、洗浄後の排液や異物が逆流して輸液容器内に混入することを防止できる。なお、逆止弁としては、公知のものを採用でき、特に限定されないが、弁体の弾性により開閉するタイプのような構成が単純なものが好ましい。
【００３９】
また、図１３に示すように、上記実施形態のホルダー７の内壁面に複数の縦リブ７ｂを形成することができる。縦リブ７ｂは、輸液容器２の密封口部３の外面に圧接することでホルダー７の安定性を高めると共に、密封口部３の多少の径の違いにも対応することができる。なお、この縦リブ７ｂは弾性を有していることが好ましい。
【図面の簡単な説明】
【００４０】
【図１】本考案に係る鼻腔洗浄用器具の第１実施形態を、輸液容器とともに示す断面図である。
【図２】図１の状態から中空穿刺針を密封口部に穿刺させた状態を示す断面図である。
【図３】図１の鼻腔洗浄用器具の使用状態を示す断面図である。
【図４】図１の鼻腔洗浄用器具の変更態様を輸液容器とともに示す断面図である。
【図５】図１の鼻腔洗浄用器具の他の変更態様を輸液容器とともに示す断面図である。
【図６】図１の鼻腔洗浄用器具の他の変更態様を輸液容器とともに示す断面図である。
【図７】図１の鼻腔洗浄用器具の他の変更態様を輸液容器とともに示す断面図である。
【図８】本考案に係る鼻腔洗浄用器具の第２実施形態を示す断面図である。
【図９】図８の鼻腔洗浄用器具を輸液容器にセットした状態を示す断面図である。
【図１０】図８の鼻腔洗浄用器具を輸液容器にセットした状態を示す斜視図である。
【図１１】図８の鼻腔洗浄用器具の使用状態を示す断面図である。
【図１２】ノズルの他の実施形態を示す
【図１３】ホルダの他の実施形態を示す
【符号の説明】
【００４１】
１Ａ、１Ｂ、１Ｃ、１Ｄ，１Ｅ    鼻腔洗浄用器具
２  輸液容器
２ａ  容器本体
３  密封口部
４  中空穿刺針
５、５Ａ、５Ｂ、５Ｃ  管状体
６  ノズル
７，７Ａ  ホルダー
【図１】
0003143802.tif 000003
【図２】
0003143802.tif 000004
【図３】
0003143802.tif 000005
【図４】
0003143802.tif 000006
【図５】
0003143802.tif 000007
【図６】
0003143802.tif 000008
【図７】
0003143802.tif 000009
【図８】
0003143802.tif 000010
【図９】
0003143802.tif 000011
【図１０】
0003143802.tif 000012
【図１１】
0003143802.tif 000013
【図１２】
0003143802.tif 000014
【図１３】
0003143802.tif 000015